Podtech/llm-jp-corpus-v4-ja_patent huggingface dataset:
(57)【要約】      （修正有）【課題】ゴルフをプレーする際、ホールごとのスコアーを、自動的に計数して、表示することのできる携帯用のスコアーメーターを提供する。【解決手段】小型マイクフォン１を組み込んで、スコアーを自動的に計測して、表示する携帯用のスコアーメーターであって、小型マイクロフォン１で捉えた音の波形と周波数を、スコアーメーターの内部にあらかじめ取り込まれた基準となる波形と比較して、スコアーとして計数すべきか否かを判断する波形比較装置２、および、表示する装置３を組み込んだ。【選択図】図１
0003223421.tif 000002
【実用新案登録請求の範囲】
【請求項１】
小型マイクロフォンを組み込んで、ゴルフのスコアーを自動的に計測して、表示する携帯用のスコアーメーター。
【請求項２】
請求項目１のマイクロフォンで捉えた音の波形と、周波数を、スコアーメーターの内部に、あらかじめ取り込まれた、基準となる波形と比較して、ゴルフのスコアーとして、計数すべきか否かを判断して、表示する装置を組み込んだ携帯用のスコアーメーター。
【考案の詳細な説明】
【技術分野】
【０００１】
本考案は、ゴルフのスコアーを自動で計測して表示する携帯用スコアーメーターに関するものである。
【背景技術】
【０００２】
従来の携帯用スコアーメーターには、人がゴルフのショットごとに、スコアーを入力して、表示するものがある。
【０００３】
しかし、人が入力することは、精神的な負担になる上に、入力を誤る欠点がる。
【先行技術文献】
【特許文献】
【０００４】
【特許文献１】特開平７−７５６８４
【考案の概要】
【考案が解決しようとする課題】
【０００５】
解決しようとする問題点は、ゴルフのスコアーを自動的に計測して、表示する機能を、携帯しやすい容器の中に、納めることができない点である。
【課題を解決するための手段】
【０００６】
本考案は、ゴルフのクラブで、ゴルフボールを打った時に発する音の周波数と、波形を捉え、あらかじめ設定しておいたそれらの基準値と比較して、ゴルフのクラブでボールを打ったものか、素振りなどなどによるものかを、自動的に判断して表示するためのマイクロフォンを、携帯用のスコアーメーターの中に組み込むことで、上記の問題を解決する。
【考案の効果】
【０００７】
本考案では、周囲の音を感知するためのマイクロフォンと、それに依って検知される音を分析して、ゴルフのスコアーを計測する回路を、携帯用スコアーメーターの中に組み込むことで、自動でスコアーを表示できる携帯用スコアーメーターの構成を可能にしている。
【図面の簡単な説明】
【０００８】
【図１】図１は本考案に係わる携帯用スコアーメーターの、マイクロフォンの組み込み位置を示す正面図である。（実施例１）
【図２】図２は本考案に係わる携帯用スコアーメーターの、Ａ−Ａ断面図である。
【図３】図３は本考案に係わる携帯用スコアーメーターの、B-B断面図である。
【考案を実施するための形態】
【０００９】
周囲の音を感知するためのマイクロフォン１と、その波形を比較、判断するための波形比較回路２を、スコアーの表示板３の組み込まれた携帯用スコアーメーターの中に組み込むことで、スコアーを自動で表示する携帯の容易な携帯用スコアーメーターを実現した。
【実施例１】
【００１０】
図１は、本考案装置の１実施例の正面図であって、本体は長手方向約６センチメートル、幅厚みとも約２センチメートルの合成樹脂で作られている。  右側面の内側に設置されたマイクロフォン１の信号は、波形比較回路２に入力される。
【００１１】
波形比較回路２には、ゴルフのスコアーとして計数すべきか否かを、判断するための基準となる波形を、以下に従って設定し、あらかじめ入力してある。
【００１２】
ゴルフボールを打った時に発する音は、パター以外のゴルフクラブを使用した場合と、パターを使用した場合で、極端に異なるため、それに着目して、それぞれの波形を基にして設定する。
【００１３】
波形比較回路２で、計数すべきと判断された場合は、その信号を表示板３に送り、積算表示する。
【００１４】
当該ホールが終了したことの判断は、パターで打った音の次に、パター以外のゴルフクラブで打った音が感知された時とする。
【００１５】
ゴルフを特別なルールでプレーした場合や、この携帯用スコアーメーターが誤動作した場合は、ボタン４で修正する。  ボタン４は、スコアーをプラスする場合と、マイナスする場合に備えて、２個設置する。
【産業上の利用可能性】
【００１６】
容易に携帯できる容器の中に収めた収音装置を用いて、特定の波形の音の数を計測できるので、テニスや卓球のラリーの回数などを自動で数えるなどの用途にも、適用できる。
【符号の説明】
【００１７】
１  マイクロフォン
２  波形比較回路
３    表示板
４    ボタン
【図１】
0003223421.tif 000003
【図２】
0003223421.tif 000004
【図３】
0003223421.tif 000005
【手続補正書】
【提出日】令和1年8月7日(2019.8.7)
【手続補正１】
【補正対象書類名】実用新案登録請求の範囲
【補正対象項目名】全文
【補正方法】変更
【補正の内容】
【実用新案登録請求の範囲】
【請求項１】
小型マイクフォンを組み込んで、スコアーを自動的に計測して、表示する携帯用のスコアーメーターであって、前記小型マイクロフォンで捉えた音の波形と周波数を、スコアーメーターの内部にあらかじめ取り込まれた基準となる波形と比較して、スコアーとして計数すべきか否かを判断して、表示する装置を組み込んだ携帯用のスコアーメーター。
【請求項２】
請求項１のマイクロフォンで捉えた音の波形と周波数を、スコアーメーターの内部にあらかじめ取り込まれた、基準となる波形と比較して、ゴルフのスコアーとして、計数すべきか否かを判断して、表示する装置を組み込んだ携帯用のスコアーメーター。
(57)【要約】      （修正有）【課題】空中に浮遊するおもちゃとして簡単に活用できる係留送風風船を提供する。【解決手段】グラファイト（カーボン）シート２及び炭素繊維（カーボンファイバー）製送風塔１６内の送風ファン１５を含んで構成される携帯型係留送風風船であって、有機薄膜フレキシブル太陽電池５がグラファイト（カーボン）シート２の外側に接合シール７で装着されることを特徴とする携帯型係留送風風船であって、送風ファン本体１２の送風ファン電源ＳＷ１３を操作して、送風ファン電源１４から供給した電力で送風ファン１５を駆動して、炭素繊維（カーボンファイバー）製送風塔１６の送風口１７からの風による揚力で空中に浮遊させロープ１８により任意の高さを杭１９で固定する。【選択図】図１
0003223426.tif 000002
【実用新案登録請求の範囲】
【請求項１】
グラファイト（カーボン）シート及び炭素繊維（カーボンファイバー）製送風塔内の送風ファンを含んで構成される携帯型係留送風風船であって、有機薄膜フレキシブル太陽電池が前記グラファイト（カーボン）シートの外側に接合シールで装着されることを特徴とする携帯型係留送風風船
【考案の詳細な説明】
【考案の詳細な説明】
【０００１】
【技術分野】  おもちゃ分野
【背景技術】
【０００２】  従来、紙やゴム及び塩化ビニル等を用いた、気密性の袋に空気又は、空気よりも軽い不活性気体のヘリウムガスを充填して、空中に浮遊させていたが、風船としての機能が低く、活用するのに制限があった。
【考案の開示】
【考案が解決しようとする課題】
【０００３】  本案は、その欠点を除いて、しかも機能を活かした風船を開発しようとするものである。
【課題を解決するための手段】
【０００４】  いま、その解決手段を図面を追いながら説明すれば
（イ）  手動用空気ポンプ（１）で空気をグラファイト（カーボン）シート（２）の風船に有る空気取込口（３）から供給し蓋（４）を閉じる。
（ロ）  有機薄膜フレキシブル太陽電池（５）及び防水電源コード（６）をグラファイト（カーボン）シート（２）の外側に接合シール（７）で装着する。電源ＳＷ（８）を操作して、有機薄膜フレキシブル太陽電池（５）及び電源（９）から供給した電力で本体（１０）に内蔵した有機ＥＬ（Ｅｌｅｃｔｒｏ  Ｌｕｍｉｎｅｓｃｅｎｃｅ）照明（１１）を駆動して制御する。
（ハ）  送風ファン本体（１２）の送風ファン電源ＳＷ（１３）を操作して、送風ファン電源（１４）から供給した電力で送風ファン（１５）を駆動して、炭素繊維（カーボンファイバー）製送風塔（１６）の送風口（１７）からの風による揚力で空中に浮遊させロープ（１８）により任意の高さを杭（１９）で固定する。
【考案の効果】
【０００５】  本案は、以上のような構造であるから、これを使用する事により、空中に浮遊するおもちゃとして、簡単に活用できる係留風船である。
【考案を実施するための最良の形態】
【実施例】
【０００６】  なお、本案の実施にあたって次の如きことができる。
（イ）  送風ファン（１５）を駆動して、炭素繊維（カーボンファイバー）製送風塔（１６）の送風口（１７）からの風による揚力で空中に浮遊する事ができる。
【図面の簡単な説明】
【０００７】
【図１】  本考案の風船の正面図
【符号の説明】
【０００８】（１）手動用空気ポンプ  （２）グラスファイト（カーボン）シート
（３）空気取込口  （４）蓋  （５）有機薄膜フレキシブル太陽電池
（６）防水電源コード  （７）接合シール  （８）電源ＳＷ  （９）電源
（１０）本体  （１１）有機ＥＬ照明  （１２）送風ファン本体
（１３）送風ファン電源ＳＷ  （１４）送風ファン電源  （１５）送風ファン
（１６）炭素繊維（カーボンファイバー）製送風塔  （１７）送風口
（１８）ロープ  （１９）杭
【図１】
0003223426.tif 000003
(57)【要約】      （修正有）【課題】より耐久性に優れ、輝度も高めることができる蓄光タイルを提供する。【解決手段】タイル基材２に反射材層３を介在させて蓄光層４が形成され、１２００℃以上で焼結したもの。【選択図】図１
0003223445.tif 000002
【実用新案登録請求の範囲】
【請求項１】
タイル基材に反射材層を介在させて蓄光層が形成されてなることを特徴とする蓄光タイル。
【請求項２】
蓄光層にリンを配合してなることを特徴とする請求項１に記載の蓄光タイル。
【請求項３】
蓄光層が２ｍｍ以上の厚みを有してなることを特徴とする請求項１又は２に記載のいずれかに記載の蓄光タイル。
【請求項４】
１２００℃以上で焼結されてなることを特徴とする請求項１乃至３のいずれかに記載の蓄光タイル。
【請求項５】
反射材層が無機化合物で形成されてなることを特徴とする請求項１乃至４のいずれかに記載の蓄光タイル。
【考案の詳細な説明】
【技術分野】
【０００１】
本考案は、太陽光や照明器具からの照射光を蓄光すると共に、照射光を暗闇で広範囲に、且つ高輝度に自然発光させることができる蓄光タイル及び蓄光タイルの製造方法に関するものである。
【背景技術】
【０００２】
従来、蓄光タイルに関して、特開２００２−１６１６３０号公報では、 壁や床などに用いられる小片薄板形状のタイルにおいて、該タイルの表面に蓄光剤を塗着したものが開示されている。
また、特開２００８−１６９６７９号公報では、白素地のタイル基材と、該タイル基材の表面に形成された鋸刃状の凹凸部と、該凹凸部の表面に積層された蓄光剤層とガラスビーズ層と、該ガラスビーズ層の上面に施された透光性を有する釉薬とで構成されていることを特徴とする乱反射蓄光タイルがある。
【０００３】
そして、蓄光タイルの製造方法として特開２０１６−２０４２４２号公報では、蓄光顔料、フリット、糊材、及び水より成る混合物を加圧成形する工程と、その成形体をタイル上に載せて焼成する工程を有する製造方法が開示されている。
【先行技術文献】
【特許文献】
【０００４】
【特許文献１】特開２００２−１６１６３０号公報
【特許文献２】特開２００８−１６９６７９号公報
【特許文献３】特開２０１６−２０４２４２号公報
【考案の概要】
【考案が解決しようとする課題】
【０００５】
上記特開２００２−１６１６３０号公報は、前記蓄光剤は、タイルの表面に塗布された後、窯内で約８００℃の温度で焼成したものであり、また、特開２００８−１６９６７９号公報では、記蓄光剤層は、前記凹凸部の表面に吹き付け塗装により施され約８００℃の温度で焼成したものである。
【０００６】
さらに、特開２０１６−２０４２４２号公報では、蓄光顔料、フリット、糊材、及び水より成る混合物を加圧成形してタイル上に載せて８３０℃で焼成するもので、何れも９００℃以下で焼成するため強度的に充分とは言えず、また輝度も蓄光材の含有量に応じたもの以上に期待できない。
【０００７】
そこで、本考案は、より耐久性に優れ、輝度も高めることができる蓄光タイル及びその製造方法を提供せんとするものである。
【課題を解決するための手段】
【０００８】
本考案の蓄光タイルの考案は、タイル基材に反射材層を介在させて蓄光層が形成されてなることを特徴とするものである。
【０００９】
請求項２の蓄光タイルの考案は、請求項１の発明において、蓄光層にリンを配合してなることを特徴とするものである。
【００１０】
請求項３の蓄光タイルの考案は、請求項１又は２のいずれかの考案において、蓄光層が２ｍｍ以上の厚みを有してなることを特徴とするものである。
【００１１】
請求項４の蓄光タイルの考案は、請求項１乃至３のいずれかの考案において、１２００℃以上で焼結されてなることを特徴とするものである。
【００１２】
請求項５の蓄光タイルの考案は、請求項１乃至４のいずれかの考案において、反射材層が無機化合物で形成されてなることを特徴とするものである。
【考案の効果】
【００１３】
本考案は、タイル基材に反射材層を介在させて蓄光層が形成されているため、光が反射材層で反射して外部に反射するため輝度を高め視認性を良好とする効果を発揮する。
また、蓄光層にリンが配合されていること、及び２ｍｍ以上の厚みとすることで輝度を充分に確保できるものとなる。
【００１４】
そして１２００℃以上で焼結したことにより、セラミックス化して硬度が高く耐久性に優れ、反射材層を無機化合物で形成したため反射板としての効能を高める効果を有する。
【図面の簡単な説明】
【００１５】
【図１】本考案の蓄光タイルの一実施の形態を示す断面図である。
【考案を実施するための形態】
【００１６】
本考案の蓄光タイルの一実施の形態を説明するに、蓄光タイル１はタイル基材２に反射材層３を介在させて蓄光層４が形成されているもので、その製造方法はタイル基材２に反射材層３を介在させて蓄光層４を形成し１２００℃で焼結したものである。
【００１７】
タイル基材２は、主に建築用や土木用のタイルに一般的な粘土質物や石英、長石等から適宜選択される陶土であり、四角・丸形や任意の形状とし、使用用途に応じて数ミリから１０ミリを超える厚みで構成する。
【００１８】
反射材層３は、珪酸塩、アルミニウム酸塩、無機結晶体等の無機化合物や希土類をブレンドしてタイル基材２に塗布する。
また、蓄光剤層４に使用される蓄光剤は、周囲の光を蓄え自然発光を可能とするもので、周知の金属化合物や希土類を複数混合し汎用の展色剤を混合して形成するものであり、さらにリンを混合してある。
蓄光剤層４は前記反射材層３の表面に２ｍｍ以上の厚みに施される。
【００１９】
前記蓄光剤には、アルミン酸ストロンチューム系またはホウ酸アルミン酸ストロンチューム系の蓄光剤が使用され、例えば、アルカリ土類アルミン酸塩でユーロピウム、ネオジム、ジスプロシウムといった希土類元素を添加することで蓄光性を示す。
【００２０】
そして、１２００℃以上で焼結することにより、セラミックス化して硬度が高く耐久性に優れ、反射材層を無機化合物で形成したため反射板としての効能を高めた蓄光タイルを得られる。
焼結は２回行うことでより高い効果を得られる。
【００２１】
蓄光層３の蓄光剤の成分が、太陽光や紫外線或いは照明器具などから照射される光エネルギーを吸収し蓄光し、暗闇の中でも自然発光する際に、無機化合物が焼成によるセラミック化した反射層４で反射するため輝度を高め、視認性が向上するのである。
【００２２】
表１は本考案の蓄光タイルの輝度を次の条件で３回測定した平均値を表示したものである。
測定方法は、資料を暗所に２７時間外光を遮断した状態で保管し、屋外で２０分間照射した場合（データ１：３回平均）と、屋内で蛍光灯（２００ルックス）を２０分照射（データ２：３回平均）し、照射を止めた後の経過時間ごとの輝度を測定した数値である。
また、従来品はＸ社の蓄光タイルであり、JisＺ９１０７（前記データ２と同条件）の測定値を該当経過時間で比較したものである。
【００２３】
【表１】
0003223445.tif 000003
【００２４】
このように、表１より本考案に係る蓄光タイルは輝度の高さと持続性が優れていることが認められる。
【符号の説明】
【００２５】
１  蓄光タイル
２  タイル基材
３  蓄光層
４  反射層
【図１】
0003223445.tif 000004
(57)【要約】      （修正有）【課題】かっぱ巻きと鉄火巻を、一緒に食べられる様にした、のり巻きを提供する。【解決手段】ノリ１とご飯２に、きゅうり３とまぐろ４を入れたのり巻きであって、まず、すのこを敷いて、次にノリを敷いて、次に御飯を敷いて、次にきゅうりを敷いて、次にまぐろを敷いて、次に全体を巻いて、次にのり巻きを切った。【選択図】図１
0003223431.tif 000002
【実用新案登録請求の範囲】
【請求項１】
ノリ（１）とご飯（２）に、きゅうり（３）まぐろ（４）を入れた、のり巻き。
【考案の詳細な説明】
【技術分野】
【０００１】  この考案は、かっぱ巻きと鉄火巻を、一緒に食べられる様にした、のり巻きに関するものである。
【背景技術】
【０００２】  従来、かっぱ巻きと鉄火巻は、別々に食べなければならなかった。
【考案の概要】
【考案が解決しようとする課題】
【０００３】  これは、次のような欠点があった。
従来、かっぱ巻きと鉄火巻は、別々に食べなければならず、一度に両方、味わう事が出来なかった。
本考案は、以上のような欠点をなくすためになされたものである。
【課題を解決するための手段】
【０００４】  まず、すのこを敷く。次にノリを敷く。次に御飯を敷く。次にきゅうりを敷く。次にまぐろを敷く。次に全体を巻く。次にのり巻きを切る。
本考案は、以上の構成よりなる、かっぱ鉄火巻きである。
【考案の効果】
【０００５】  トロ（まぐろ）のトロッとした食感と、きゅうりのシャキシャキッとした歯ごたえが、一度に両方、味わえる。
【図面の簡単な説明】
【０００６】
【図１】  本考案の全体の説明図である。
【考案を実施するための形態】
【０００７】  以下、本考案を実施するための形態について説明する。
まず、すのこを敷く。次にノリを敷く。次に御飯を敷く。次にきゅうりを敷く。次にまぐろを敷く。次に全体を巻く。次にのり巻きを切る。
本考案は、以上のような構成である、かっぱ鉄火巻きである。
これを食べる時には、わさびしょう油に少し付けるのも良い。
【符号の説明】
【０００８】  １  ノリ
２  御飯
３  きゅうり
４  まぐろ
【図１】
0003223431.tif 000003
(57)【要約】      （修正有）【課題】自動車の屋根部分に太陽光発電パネルを取り付けて発電する自動車を提供する。【解決手段】自動車の屋根部分１に太陽光発電パネル２を取り付けてその発電した電力で車内のエアコンを作動させて車内環境を快適にする。【選択図】図１
0003223734.tif 000002
【実用新案登録請求の範囲】
【請求項１】
自動車の屋根部分に太陽光発電パネル取り付けて発電する自動車。
【請求項２】
その発電した電力でエアコンを作動させて車内環境（冷暖房等）を快適にするものである。
【考案の詳細な説明】
【技術分野】
【０００１】自動車の屋根部分に着目してその屋根に太陽光発電パネルを取り付けてその電力で自動車車内の環境を快適にするものである。
【背景技術】
【０００２】従来は、自動車の屋根部分に太陽光発電パネルを取り付けた自動車はなかった。
【考案の概要】
【考案が解決しようとする課題】
【０００３】自動車を屋外に駐停車してエンジンを止めて車外に出る。すると夏の時期は車内はむし風呂状態、冬の時期は氷の部屋状態、この課題を解決するためにこの考案がなされたものである。
【課題を解決するための手段】
【０００４】自動車の屋根部分に太陽光発電パネルを取り付けてその発電した電力でエアコンを作動させ、快適な車内環境に出来るようにした。
【考案の効果】
【０００５】夏の暑い時期や冬の寒い時期でもこの考案で快適な車内環境が保持される。しかもエンジンと関係ないので排気ガスが発生しない。
【図面の簡単な説明】
【０００６】
【図１】自動車の屋根部分と太陽光発電パネル取り付けた平面図である。
【符号の説明】
【０００７】１  自動車の屋根部分        ２  太陽光発電パネル
【図１】
0003223734.tif 000003
【手続補正書】
【提出日】令和1年8月13日(2019.8.13)
【手続補正１】
【補正対象書類名】実用新案登録請求の範囲
【補正対象項目名】全文
【補正方法】変更
【補正の内容】
【実用新案登録請求の範囲】
【請求項１】
自動車の屋根部分に太陽光発電パネル取り付けて発電する自動車。
【請求項２】
その発電した電力でエアコンを作動させて、車内環境（冷暖房等）を快適にするものである請求項１に記載の自動車。
(57)【要約】      （修正有）【課題】シートの中間が風で膨らむことがなく、シートを安全に固定出来る足場シート２層張材を提供する。【解決手段】クサビ足場材のクサビ部分に６０ｃｍの金属製板を設け、板の長手方向両端に１ｃｍの穴を設け、６０ｃｍのシートを張り、穴に紐を通してシートを固定する。【選択図】図１
0003223731.tif 000002
【実用新案登録請求の範囲】
【請求項１】
クサビ足場材のクサビの部分に６０ｃｍの鉄の板を設け両端に１ｃｍの穴を設けた足場シート２層張り材
【考案の詳細な説明】
【技術分野】
【０００１】      この発明は、クサビ部分に６０ｃｍの板の両端に穴の開いたシート２層張り材です。
【背景技術】
【０００２】従来シートを２層張りしたとき上下端以外の中間部分がシートを止められない。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】足場シートの繋目に２層張りをしているが、中間部分のシートが止められず風を受け膨らむ。
【課題を解決するための手段】
【０００６】クサビ足場材のクサビの部分に６０ｃｍの鉄の板を設け両端に１ｃｍの穴を設ける。
【考案の効果】
【０００７】足場材柱の外側に余っているコマに上記の考案した部材を付ける事でシートを安全にしっかりと止められる。
【図面の簡単な説明】
【０００８】
【図１】
【図２】
【考案を実施するための形態】
【０００９】クサビに６０ｃｍの金属製板を取り付け両端に１ｃｍの穴あける。
６０ｃｍのシートを張り両端の穴に紐を通して留める。
【符号の説明】
【００１０】１、クサビ  ２、６０ｃｍ板  ３、１ｃｍ穴
【図１】
0003223731.tif 000003
【図２】
0003223731.tif 000004
【手続補正書】
【提出日】令和1年8月8日(2019.8.8)
【手続補正１】
【補正対象書類名】実用新案登録請求の範囲
【補正対象項目名】全文
【補正方法】変更
【補正の内容】
【実用新案登録請求の範囲】
【請求項１】
クサビ足場材のクサビ部分に６０ｃｍの金属製板を設け、当該金属製板の長手方向の両端に１ｃｍの穴を設けた足場シート２層張り材
【手続補正２】
【補正対象書類名】明細書
【補正対象項目名】０００８
【補正方法】変更
【補正の内容】
【０００８】
【図１】▲３▼クサビの部分に▲２▼６０ｃｍの金属製板を設け、当該金属製板の長手方向の両端に１ｃｍの▲１▼穴を設け▲３▼クサビ部分上部に▲４▼爪を設ける
【図２】１、穴  ２、金属製板  ３、クサビ  ４、爪
(57)【要約】      （修正有）【課題】ターンテーブルと支え器具を取り付けたステップを提供する。【解決手段】ステップ１に電動のターンテーブル２と支え器具５を取り付け上がり框に設置した。【選択図】図２
0003223733.tif 000002
【実用新案登録請求の範囲】
【請求項１】
部屋の床が高い為ステップを置き、ステップの上面に１８０度回るターンテーブルを設置し、ターンテーブル上に履物を脱ぎ床面に上がりスイッチ６をいれターンテーブルを回し履物３の向きを変える、ステップにターンテーブルを設ける。
【考案の詳細な説明】
【技術分野】
【０００１】本考案は、高齢者が玄関等から上がる時、上がり框が高いためステップを置くが、ステップの上にターンテーブルを設け、履物をターンテーブルに脱ぎ床に上がりターンテーブルを１８０度回すと履物が出口に向く為すぐ外出できる。
【背景技術】
【０００２】従来高齢者が玄関より床に上がる時、床の高さが高い為ステップを置きステップに乗り床に上がるがそのままだと履物の向きを変えなければならなかったが、ステップ上にターンテーブルを設けて有るため、スイッチを押すとターンテーブルが１８０度回り履物が出口に向く為外出できる。
【考案の開示】
【考案が解決しようとする課題】
【０００３】従来玄関から床に上がるのに床が高い為、ステップを置きステップに乗り床に上がる等であったが、ステップで脱いだ履物の向きを変えなければならなかった。
【課題を解決するための手段】
【０００４】玄関の床が高いためステップを置きそこから床に上がることになるが、上がってから履物の向きを変えるのであるが、高齢者ではしゃがむのが苦手で無理であったが、此の考案では上がり框に置くステップの上にターンテーブルを設けてあるため、そこで履物を脱ぎ床に上がってからターンテーブルのスイッチをいれると、履物が１８０度回る。
【考案の効果】
【０００５】玄関又は勝手口から床に上がる時床が高いためステップを置くが、ステップ上に履物をおいても向きを変えるのが高齢者では出来なかったが、此のステップではターンテーブルがあるため、スイッチにてターンテーブルが１８０度回り履物の向きを変えることが出来るため、外出する時履物の向きを変え無くても良い。
【考案を実施するための最良の形態】
【０００６】此の考案は部屋に入るのに床が高いため、ステップを一段置きそこに乗ってから床に上るが、健常者ではしゃがんで履物の向きを変える事ができるが、高齢者ではそれは出来ないため、ステップの上面にターンテーブルを設けターンテーブルに履物を脱げばスイッチを入れるとターンテーブルが１８０度回る。
【実施例】
【０００７】図１はこの考案の平面図であるが、ステップ１の上面にターンテーブル２を設け、ターンテーブル２の上に履物３を脱ぎ部屋の床４に上がり、ターンテーブル２のスイッチ６を押すと、ターンテーブル２上に脱いだ履物３が１８０度回るため、体をしゃがんで履物３の向きを変える必要がない。図２は此の考案の斜視図であるが、ステップ１の上面のターンテーブル２と２の間の支え具５のスイッチ６を押すとターンテーブル２が回るが、ターンテーブル２は１８０度回って止まり、ステップの横には下駄箱を８を取り付けると履物を履き替えるのが楽である。
【図面の簡単な説明】
【図１】  此の考案の平面図
【図２】  この考案の斜視図１    ステップ
２    ターンテーブル
３    履物
４    床
５    支え器具
６    スイッチ
７    ライト
８    下駄箱
【図１】
0003223733.tif 000003
【図２】
0003223733.tif 000004
【手続補正書】
【提出日】令和1年8月9日(2019.8.9)
【手続補正１】
【補正対象書類名】実用新案登録請求の範囲
【補正対象項目名】全文
【補正方法】変更
【補正の内容】
【実用新案登録請求の範囲】
【請求項１】
ステップに電動のターンテーブルと支え器具を取り付け上がり框に設置した、ターンテーブルと支え器具を取り付けたステップ。
(57)【要約】      （修正有）【課題】自動車の足踏みパーキングブレーキとブレーキペダル及びアクセルペダルを備えたオートマチック車を提供する。【解決手段】ブレーキペダルを中心に左側にアクセルペダル、右側にパ−キングブレーキを配置した。【選択図】図２
0003223732.tif 000002
【実用新案登録請求の範囲】
【請求項１】
自動車のアクセルを足踏みパ−キングブレーキと変えてハンドルの左側に取り付ける。
ブレ−キは現状のまま取り付ける。
足踏みパ−キングブレーキはアクセルと変えてハンドルの右端に取り付ける。
【考案の詳細な説明】
【考案の詳細な説明】
この考案は、自動車のブレ−キは現状通りにして、アクセルはハンドルの左側足踏みパ−キングブレ−キと変えて取り付ける。今高齢者によるアクセルとブレ−キの踏み違いによる事故が多発している。運転経験の長い高齢者の方は危いと感じた時は必ず反射的に右側のブレ−キを踏むので右側にアクセルがあると間違えて踏んでしまう運転経験の長い高齢者の方ほど右側にあるブレ−キとアクセルの踏み間違いが多くなる、今はオ−トマチック車がほとんどでクラッチが無いのでハンドルの左側に足踏みパ−キングブレ−キとアクセルを取り替えることで事故が防げる。又足踏みパ−キングブレ−キはアクセルと変えて右端に付けるとなお事故が防げる。
本案はアクセルの取り付ける位置を変えることでアクセルとブレーキの踏み間違い事故を防ぐ為に考案したものである。
【図面の簡単な説明】
【図１】現状のブレーキとアクセルとパーキングブレーキの位置
【図２】考案のアクセルとブレーキとパーキングブレーキの位置
【図１】
0003223732.tif 000003
【図２】
0003223732.tif 000004
【手続補正書】
【提出日】令和1年8月14日(2019.8.14)
【手続補正１】
【補正対象書類名】実用新案登録請求の範囲
【補正対象項目名】全文
【補正方法】変更
【補正の内容】
【実用新案登録請求の範囲】
【請求項１】
自動車の足踏みパーキングブレーキとブレーキペダル及びアクセルペダルを備えたオートマチック車において、ブレーキペダルを中心に左側にアクセルペダル右側にパーキングブレーキを配置した事を特徴とする、オートマチック車。
(57)【要約】      （修正有）【課題】人体の部位に働く磁界が変化することで、血流や筋肉の動きに影響を与え、筋肉細胞の炎症や血流の改善に寄与する可変磁界磁気治療器を提供する。【解決手段】可変磁界磁気治療器は、小球体状の磁気を帯びた磁性体１を中に含んだ、中が中空になっている立体物でできている。【選択図】図２
0003223719.tif 000002
【実用新案登録請求の範囲】
【請求項１】
小球体状の磁気を帯びた磁性体を中に含んみ、中が中空になっていて立体物でできている可変磁界磁気治療器
【請求項２】
小球体状の磁気を帯びた磁性体を中に含んだ、半球状の中空体でできている可変磁界磁気治療器
【請求項３】
小球体状の磁気を帯びた磁性体を中に含んみ、中が中空になっていて弾性体物質でできている可変磁界磁気治療器
【考案の詳細な説明】
【技術分野】
【０００１】人体の部位に働く磁界が変化することで、血流や筋肉の動きに影響を与え、筋肉細胞の炎症や血流の改善に寄与する。
【背景技術】
【０００２】従来の磁気を使った治療器は、１つは磁気を持たせた磁性体を患部に固定することで患部に不変の磁界を与えることで治療しようとする機器であり、また１つは、電流を流すことで磁気を発生させる機器である。
【考案の概要】
【考案が解決しようとする課題】
【０００３】従来の磁気を使った治療器は、そのままでは磁界が変化せず、血流にほとんど影響を及ぼすことができていないといえる。また、電流を使うことで磁界変化を作ることができるが、電源が必要であり煩わしさを伴う。
【課題を解決する手段】
【０００４】本校案物は、カプセル状の中空体に微小球体の磁石を入れることで、それを患部に固定すると、体の動きに応じて、固定されたカプセル状の中空体の中を、微小球体の磁石が転がり動くことで、患部には、磁界の変化が起こり血流を刺激する。
【考案の効果】
【０００５】小さな風船をふくらませ、その中に微少なネオジムでできた磁石を入れ手に持ち少しの間揺らすと、持っている手のひらが、少し暖かくなるのを感じる。これは手のひらの中で磁石が動くことで磁界の変化が起き、血流に刺激があり暖かさを感じることができたと考えられる。また、薬剤用の小さなカプセルに微少なネオジムを入れ、こっている肩や首の後ろにカプセルを固定しておくと、こりがほぐれることを感じることができた。
【図面の簡単な説明】
【０００６】
【図１】可変磁界磁気治療器の半球体図
【図２】可変磁界磁気治療器の立体物の立体図
【符号の説明】
【０００７】１  小球体状の磁気を帯びた磁性体
２  中空の半球体の半球部分
３  中空の半球体の底面部分
４  中空の半球体の空間部分
１  小球体状の磁気を帯びた磁性体
２  中が中空になっていて立体物
３  中が中空になっていて立体物の中の空間
【図１】
0003223719.tif 000003
【図２】
0003223719.tif 000004
【手続補正書】
【提出日】令和1年5月27日(2019.5.27)
【手続補正１】
【補正対象書類名】実用新案登録請求の範囲
【補正対象項目名】全文
【補正方法】変更
【補正の内容】
【実用新案登録請求の範囲】
【請求項１】
小球体状の磁気を帯びた磁性体を中に含んだ、中空の立体物でできている可変磁界磁気治療器
【請求項２】
小球体状の磁気を帯びた磁性体を中に含んだ、半球状の中空体でできている可変磁界磁気治療器
【請求項３】
小球体状の磁気を帯びた磁性体を中に含んだ、中空の性体物質でできている可変磁界磁気治療器
【手続補正書】
【提出日】令和1年8月13日(2019.8.13)
【手続補正１】
【補正対象書類名】実用新案登録請求の範囲
【補正対象項目名】全文
【補正方法】変更
【補正の内容】
【実用新案登録請求の範囲】
【請求項１】
小球体状の磁気を帯びた磁性体を中に含んだ、中空の立体物でできている可変磁界磁気治療器。
【請求項２】
小球体状の磁気を帯びた磁性体を中に含んだ、半球状の中空体でできている可変磁界磁気治療器。
【請求項３】
小球体状の磁気を帯びた磁性体を中に含んだ、中空の弾性体物質でできている可変磁界磁気治療器。
(57)【要約】      （修正有）【課題】熱伝導・熱放射性能の良い電気機器の外部ケースを提供する。【解決手段】熱を放出し易いように、プラスチックペレット１に金属の粉２を混入させて成形した。【選択図】図３
0003223717.tif 000002
【実用新案登録請求の範囲】
【請求項１】
成形品内部で、熱が発生する合成樹脂の成形品の製造に於いて、筐体を構成する成形品の外部ケースを、熱伝導率・熱放射率の高い合成樹脂製品に置き換えることが出来ることにより、熱を発生する各種合成樹脂の筐体内部から発生する熱を、外部に放出し易いようにした方法。
【考案の詳細な説明】
【技術分野】
【０００１】  本考案は、各種の電気機器等において、それら機器・装置内部から発生する熱を、外に放出する方法として、熱伝導性能、並びに熱放射性能の良いプラスチックや接着剤等の樹脂（以下、合成樹脂）を使用して、その放熱対策を講じるようにしたものである。
【背景技術】
【０００２】  各種の電気機器等では、取り付けられた部品の温度が上昇することにより、その機器の寿命が短くなるのであるが、その程度は、温度が１０℃上昇することにより、寿命は１／２になるという「アレニウスの法則」として示されている。
また、温度上昇によって、装置内部の部品の温度が上昇することにより、熱膨張の発生が見られるが、それら装置内部の各部品の熱膨張率の違いによって発生する「ひずみ」の違いが起こるため、それが原因して接続不良等を起こす原因ともなるので、これら機器の寿命を延ばし、トラブルを避けるためには発生する熱を簡易的に放出させることが必要となってきている。
これらの電気機器による熱トラブルの例としては、過去にスマートフォンの長時間使用が原因して、温度上昇が発生した事が原因の、火傷トラブルの例があったが、これはスマートフォン内部から発生する熱を、充分に外部に放出することが出来なかったことが原因である。
以上のように、各種の電気機器等では、熱伝導性能、並びに熱放射性能の悪い、合成樹脂ケースに収められている例が多いが、それ故に、これらの装置内部から発生する熱を合成樹脂等のケースを介して外部に放出するという必要性が有り、その為には、熱伝導・熱放射性能の良い合成樹脂等のケースが望まれている。
【先行技術文献】
【０００３】
【特許文献】
【０００４】      特開２０１４−０６２１７８
特開２０１３−０３２４５１
特開２０１１−０１６９３７
【非特許文献】
【０００５】
【考案の概要】
【考案が解決しようとする課題】
【０００６】本考案は、内部で熱が発生する電気機器等で、その外部ケースが合成樹脂で造られている場合に、熱伝導性・熱放射性を良くする方法として、ケースを構成する合成樹脂に、熱伝導、並びに熱放射性能の良い金属の粉（以下、金属の粉）を、混入させて、熱を外部に放出する性能の良い合成樹脂のケースを作り出す方法を考案したものである。
【課題を解決するための手段】
【０００７】  上記の課題に鑑みて試された、本考案の目的を達成させる一つの手段として、例えばプラスチックによって、ケースを造る場合は、プラスチックペレットと金属の粉等とを混合し、金属の粉が内蔵されたプラスチックペレットを作り、そして、そのペレットを射出成型機やプレス製法にて、希望の形のプラスチック成形品を作り出すものである。
また、接着剤によって、ケースを造る場合は、その接着剤に金属の粉を混ぜ合わすことによって金属の粉の入った板を造り、その板を組み合わせることにより、希望とするケースを作り出すものである。
【考案の効果】
【０００８】  上述のように、本考案により製造された合成樹脂の製品は、通常の合成樹脂製品よりも、熱伝導率・熱放射率が高いため、例えば、熱を発生する電子機器が収まっている合成樹脂筐体でも、この考案の効果により内部の電子機器から発生する熱を、合成樹脂ケースを通して放熱されることができるので、電子機器の温度上昇によるトラブルを避けることが出来る。
【考案を実施するための形態】
【０００９】以下、本考案を実施するための最良の形態について、プラスチックによって本考案を実施した場合を図面を参照して説明する。
【００１０】先ず、プラスチックペレット：１と、金属の粉：２との混合物を、押出機で、金属の粉の混入されたペレット：３を造る。そのペレットを、射出成型機：４のホッパーに入れて射出成形をすることによって、予定された，熱伝導率並びに熱放射率の高い成形品を取り出すことが出来る。又、射出成型法とは異なる方法としては、熱プレスや、押し出し成形（板及びシート）等の方法も考えられる。
【図面の簡単な説明】
【００１１】
【図１】プラスチックペレット
【図２】金属の粉
【図３】プラスチックペレットに、金属の粉を混ぜ合せたペレット
【図４】射出成型機
【符号の説明】
【００１２】１・・・プラスチックペレット
２・・・金属の粉
３・・・金属の粉が内蔵されたプラスチックペレット
４・・・射出成型機
【実施例１】
【産業上の利用可能性】
【００１３】本考案の利用できる分野として、次の分野が考えられる。
▲１▼  携帯電話などの電子機器の、内部の温度上昇を抑えることが出来る。
▲２▼  電気機器など熱の発生する機器の筐体として、金属からプラスチックに置き換えることが出来る。
▲３▼  金属の自動車部品を、合成樹脂に置き換えることが出来る。
【図１】
0003223717.tif 000003
【図２】
0003223717.tif 000004
【図３】
0003223717.tif 000005
【図４】
0003223717.tif 000006
【手続補正書】
【提出日】平成30年7月30日(2018.7.30)
【手続補正１】
【補正対象書類名】実用新案登録請求の範囲
【補正対象項目名】全文
【補正方法】変更
【補正の内容】
【実用新案登録請求の範囲】
【請求項１】
熱を伝え易い合成樹脂の役割において、合成樹脂の内部に金属の粉を入れる。
【手続補正書】
【提出日】平成30年10月16日(2018.10.16)
【手続補正１】
【補正対象書類名】実用新案登録請求の範囲
【補正対象項目名】全文
【補正方法】変更
【補正の内容】
【実用新案登録請求の範囲】
【請求項１】
プラスチック筐体の成型品に於いて、筐体の肉厚を通して、内部から外部に熱が伝わり易くするために、成形品肉厚部に金属の粉を混入させることを特徴とする、プラスチック成形品。
【手続補正書】
【提出日】平成31年1月4日(2019.1.4)
【手続補正１】
【補正対象書類名】実用新案登録請求の範囲
【補正対象項目名】全文
【補正方法】変更
【補正の内容】
【実用新案登録請求の範囲】
【請求項１】
樹脂成形品は、内面から外面に、熱を外部に放出できるように、外面に丸型凸部を張り巡らせる。
【手続補正書】
【提出日】令和1年7月3日(2019.7.3)
【手続補正２】
【補正対象書類名】実用新案登録請求の範囲
【補正対象項目名】全文
【補正方法】変更
【補正の内容】
【実用新案登録請求の範囲】
【請求項１】
熱を放出し易いように、合成樹脂に金属の粉を混入させて成形したことを特徴とする電気機器の外部ケース。
(57)【要約】【課題】本考案は、風害や水害や日照不足などの自然災害から、植物を安全に栽培ができる、植物栽培装置を設け、防水、風害の防止、人工光で、植物の被害を防止する。【解決手段】本考案は、植物栽培装置の開閉扉１を設け、開閉扉が飛散しないよう、扉飛散防止板８を上に設置し、６と７の風流板１と風流板２で、風の通り道を作るため風の圧力を減らし風害をなくし、防水ゴム２，３，４，５のゴムで水の侵入防げるため、台風や、ゲリラ豪雨、から植物を守れることが可能で、地下に本体の一部分を土で埋めこみ、装置どうしを連結させ、装置の上が平行になるため風の抵抗をなくすことができ、人工光１６のによる日照不足を解消し、植物をまもり風害や水害からの被害防止に役立つ。【選択図】図１
0003223752.tif 000002
【実用新案登録請求の範囲】
【請求項１】
風や水の装置への侵入を防ぐための開閉扉と、開閉扉が風の力による飛散を防ぐための扉飛散防止板と、風の通り道を設けるための風流板と、水の侵入を防ぐための防水ゴムとを備えた、植物を風害や水害から被害を防ぐ植物栽培装置。
【考案の詳細な説明】
【技術分野】
【０００１】本考案は、台風・ゲリラ豪雨・突風の時に、植物の野菜・薬草・ハーブ・花等を守り栽培を可能とした植物栽培装置とする。
【背景技術】
【０００２】近年、日本に異常気象が起こり、農作物の被害が起き水害で野菜が病気になったり水害で流されたり、突風で植物が折れたり、多大な被害が出たが、植物を育てるための農業資材では被害を防ぐことはできず、野菜を育てることが難しくなりました。
又、野菜の栽培では、日照不足で生育が不良になっております。
【先行技術文献】
【特許文献】
【０００３】
【特許文献１】特開２０１６−２１８７９
【考案の概要】
【考案が解決しようとする課題】
【０００４】異常気象の現状は、水害や風害による植物の被害ですが、災害が起きたら自動的に装置で覆って植物を保護することで、被害を防ぐことが可能になり、人工光を設置すことで前述の欠点を解決するものである。
【考案が解決しようとする手段】
【０００５】そこで、地下の土で装置を固定し、異常気象の時に扉を人が遠隔操作で自動的に開閉させ、扉を閉めたときに防水性能を備えた装置なり、水害を防いで植物が育てられ、装置には風の通り道を作られた扉があるので風害を防ぎます。異常気象が起きても装置が水害や風害の被害を防ぐので、装置の保護された箱の中での植物の栽培が可能になり、日照不足も人工光で問題を解決しようとするものである。
【考案の効果】
【０００６】装置の扉が風で吹き飛ばないようにするため、風の強い構造と素材にすることで危険性をなくし、扉が開いているときは、風通しを良くする構造なので植物がカビで病気になるのを防ぎ、健康的な野菜の栽培が可能です。
【０００７】装置に空調を設置するため、有機栽培ができることと、電気料が少なくすみます。
【０００８】装置を設置するときは、太陽の日当たりの方角の東西に合わせますが、普段は扉が自動的に開いたままなので植物の光合成は問題ありませんし、植物栽培装置には、土がありますので植物がを育てられるので、植物を育てられる環境が備った装置ですので、健康的な植物が育てられます。
【図面の簡単な説明】
【０００９】
【図１】本考案の植物栽培装置の実施例を示す概略図である。
【考案を実施するための形態】
【００１０】自動開閉機１４は遠隔操作で扉を開閉できる機械で、開閉扉１を、水平に開け閉めする。開いている時は、植物が光合成ができ閉まっているときは、水害や風害から植物を守ることができる。２，３、４、５、は防水するためのゴムで、ゴムの圧力で水の侵入を防ぎます。風流板６，７とは、開閉扉が開いているときには、風を取り込み植物の病気を防ぎ、閉まっているときは、風の流れを作ります。扉飛散防止板８は、開閉扉が閉まっているときに、開閉扉が、風や水害で壊れないようにするために、強い素材で抑えます。開閉扉格納庫９は、開閉扉が開いているときに、しまう場所です。第一支柱１０と第二支柱１１は、本体を地下に埋め込み、風や水害で流されないよう、土に固定するための支柱です。普通の雨が降って開閉扉が開いているときに装置内に水がたまらないようにするための排水溝１３です。その際に、雨水で土が流れないようするため、排水網１２で流出を防ぐ。斜板１５は、装置本体に風の力がかからないようになる。日照不足にならなように、人工光１６を設置する。
【産業上での利用可能性】
【００１１】異常気象での植物栽培が困難であり、ビルの屋上や家庭菜園、都市のあいている土地、畑の栽培の装置としてもこれから効果利用性が高く、自動的に野菜を栽培する装置として利用でき水耕栽培もできる植物栽培装置である。
【符号の説明】
【００１２】  １  開閉扉
２  防水ゴム１
３  防水ゴム２
４  防水ゴム３
５  防水ゴム４
６  風流板  １
７  風流板  ２
８  扉飛散防止板
９  開閉扉格納庫
１０第一支柱
１１第二支柱
１２排水網
１３排水溝
１４自動開閉機
１５斜板
１６人工光
【図１】
0003223752.tif 000003
(57)【要約】      （修正有）【課題】部材間の隙間を広げたり狭めたりする作業の安全性を高めたくさび式手動ジャッキを提供する。【解決手段】スライド方向に引張材を貫通させる穴を中央に有するくさびａと、ボルトナット等の引張材用の座面を有する金具でくさび端部に曲面で回転可能に篏合させた曲面篏合棒状座金ｂ１、ｂ２とが１組となり、相反する方向の２組間に貫通する引張構成材を組み合わせたくさび式手動ジャッキに於いて、ボルトの上下回転量に応じて、ｈとｉの対象物の隙間をコントロールできるように、ボルトナット等の力点となる曲面棒状座金ｂ２は、くさび端部に半円を超えて接することで抜けないように篏合し、且つボルトとくさび本体との位置がずれないように、一方は曲面棒状座金とスリーブｆが、ボルト頭部とボルトに固着させたナットｇ間に介在し、他方はボルトとの篏合用めねじ部を有する形状となっている。【選択図】図１
0003223751.tif 000002
【実用新案登録請求の範囲】
【請求項１】
スライド方向に引張材を貫通させる穴を中央に有するくさびと、ボルトナット等の引張材用の座面を有する金具でくさび端部に曲面で回転可能に篏合させたことを特徴とした曲面篏合棒状座金が１組となり、相反する方向の２組間に貫通する引張構成材を組み合わせたくさび式手動ジャッキに於いて、くさび端部で半円を超えて回転可能に接して曲面篏合させた曲面篏合棒状座金と、さらにその曲面篏合棒状座金は、一方がボルト貫通部をボルトに篏合するめねじ形状とし、又他方はその座金と間隔調整用スリーブをボルト頭部とボルトに固着させたナット類の間に介在させたことを構造に追加したことを特徴としたくさび式手動ジャッキ。
【考案の詳細な説明】
【技術分野】
【０００１】  本考案は、例えば、図１のように部材間の隙間をあける場合に利用できる工具に関するものである。
【背景技術】
【０００２】  従来から、例えば、傾いた建物を土台を基礎から上げて修繕する場合、軽量の場合１組のくさびで、打撃により調整するか、あるいは、重量の場合は、手動ジャッキや油圧式ジャッキを用いるが、ジャッキ操作をする場合に、作業スペースが必要なことから、周辺の材料を解体する必要があった。又、特に手動ジャッキに関しては、広げることと、狭めることが安全であることが特徴である。
【考案の概要】
【０００３】  図２は、最も簡単なくさび式手動ジャッキに最低限必要な構成部材の図であるが、本来手動ジャッキについては、広げる時だけでなく、狭める時も安全にその程度をコントロールできる特徴があり、その特徴を確保させるために、くさび式手動ジャッキの構成部材の曲面篏合棒状座金はくさび本体と離れないようにくさび端部と半円を超えて回転可能に篏合して抜けないようになっており、さらに曲面篏合棒状座金の一方は、ボルトの貫通部をボルトと篏合するめねじ形状とした。又他方の曲面篏合棒状座金は、適度な長さを有するスリーブ用の座面をくさび端部との篏合曲面側に有し、ボルトにはそのガタツキを防止するナットなどによる留め具を固着させることで、手動ジャッキの特徴である広げる、狭める双方で安全な機能を追加した構造を提案するものである。
【考案の効果】
【０００４】  図２の簡単なくさび式ジャッキは、ナットを含むボルト類を締め付ける場合にだけ、その広げ量はコントロールできるが、狭める場合は、ナットを緩めても時には接する面の摩擦の大きさによってはくさび本体が戻らない場合がある。本件は、ボルトなどを緩める場合でも、ボルトにガタが生じない構造を追加することで、ボルトの回転量に応じて、くさびを戻りの場合もくさびの位置をコントロール出来て、作業の安全性を高めることが可能となる。
【図面の簡単な説明】
【０００５】
【図１】は簡単なくさび式手動ジャッキに、ボルト頭部側には、スリーブ用座を有する回転篏合棒状座金とスリーブと、さらにボルトの位置決めのためのナット類の固着留め具を示し、ボルト先端側には、ボルトと篏合可能なめねじ部を有する回転篏合棒状座金を示す図である。ａは、くさび本体、ｂ１はｅのボルト側など篏合ｃ１ネジ部を有する回転棒状座金、ｅのボルト頭部側のｂ２曲面棒状座金は、ｆのスリーブを固定できる座が形成され、ｇのナット類でボルトとナットが固着している状態を例として示す。またｈとｉは、ジャッキ利用の対象物の例を示す。
【図２】は、本考案の組み立てで必要な最も簡単なくさび式手動ジャッキに最低限必要な構成部材の図。
【図１】
0003223751.tif 000003
【図２】
0003223751.tif 000004